(57)【要約】【課題】録画時における録画機器の切換の確実性を向上した録画制御装置および録画制御方法を提供する。【解決手段】録画制御装置が、優先順位テーブルに基づいて、第１の録画機器を選択する第１の選択部と、録画される番組に対して、選択される第１の録画機器の残容量が不足しているか否かを判断する第１の判断部と、検出される残量が不足していると判断されたときに、接続されている録画機器を検出する検出部と、検出される録画機器および優先順位テーブルに基づいて、選択する録画機器の有無を判断する第２の判断部と、選択する録画機器が有ると判断されるときに、優先順位テーブルに基づいて、第２の録画機器を選択する第２の選択部と、を具備する。【選択図】図１
2008085675.tif 000002
【特許請求の範囲】
【請求項１】
複数の録画機器間の優先順位を表す優先順位テーブルと、
前記優先順位テーブルに基づいて、第１の録画機器を選択する第１の選択部と、
前記選択される第１の録画機器に番組を録画させる録画制御部と、
前記録画される番組に対して、前記選択される第１の録画機器の残容量が不足しているか否かを判断する第１の判断部と、
前記検出される残量が不足していると判断されたときに、接続されている録画機器を検出する検出部と、
前記検出される録画機器および前記優先順位テーブルに基づいて、選択する録画機器の有無を判断する第２の判断部と、
前記選択する録画機器が有ると判断されるときに、前記優先順位テーブルに基づいて、第２の録画機器を選択する第２の選択部と、
前記第１の録画機器に替えて、前記第２の録画機器に番組を録画させる第２の録画制御部と、
を具備することを特徴とする録画制御装置。
【請求項２】
前記選択する録画機器が無いと判断されるときに、前記番組の提供予定を表す提供予定テーブルを作成するテーブル作成部と、
前記作成される提供予定テーブルに基づき、録画予約を促す録画予約部と、
をさらに具備することを特徴とする請求項１記載の録画制御装置。
【請求項３】
前記録画される番組と、前記第１、第２の録画機器と、前記第１、第２の録画機器それぞれで録画される時間とを対応して表す録画状態テーブルを作成するテーブル作成部、
をさらに具備することを特徴とする請求項１記載の録画制御装置。
【請求項４】
前記作成される録画状態テーブルに基づいて、複数の録画機器での再生を制御する再生制御部、
をさらに具備することを特徴とする請求項３記載の録画制御装置。
【請求項５】
前記複数の録画機器で再生される番組を表示する画像表示装置
をさらに具備することを特徴とする請求項１乃至４のいずれか１項に記載の録画制御装置。
【請求項６】
複数の録画機器間の優先順位を表す優先順位テーブルに基づいて、第１の録画機器を選択するステップと、
前記選択される第１の録画機器に番組を録画させるステップと、
前記録画される番組に対して、前記選択される第１の録画機器の残容量が不足しているか否かを判断するステップと、
前記検出される残量が不足していると判断されたときに、接続されている録画機器を検出するステップと、
前記検出される録画機器および前記優先順位テーブルに基づいて、選択する録画機器の有無を判断するステップと、
前記選択する録画機器が有ると判断されるときに、前記優先順位テーブルに基づいて、第２の録画機器を選択するステップと、
前記第１の録画機器に替えて、前記第２の録画機器に番組を録画させるステップと、
を具備することを特徴とする録画制御方法。
【発明の詳細な説明】
【技術分野】
【０００１】
本発明は、録画を制御する録画制御装置および録画制御方法に関する。
【背景技術】
【０００２】
番組を録画機器に録画しているときに、録画容量が不足することがある。このような場合に、例えば、録画動作の終了、録画容量の確保（古い録画の削除）等がユーザによって実行される。
ここで、複数の録画機器を自動的に切り換えて、番組の録画を継続することが考えられる。また、複数のディスク媒体全ての記録優先度や使用可能容量などをテーブル化することで、映像／音声の記録開始時の際に、ディスク媒体の指定を不要とする技術が公開されている（特許文献１参照）。
【特許文献１】特開２００３−５１１７６号公報
【発明の開示】
【発明が解決しようとする課題】
【０００３】
しかしながら、ディスク媒体等をテーブル化したとしても、このテーブルが現に接続されているディスク媒体等と対応しない可能性がある。例えば、ユーザがディスク媒体等の接続状態を変更する可能性がある。この場合、ディスク媒体等の切り換えに支障が出る畏れがある。
上記に鑑み、本発明は、録画時における録画機器の切換の確実性を向上した録画制御装置および録画制御方法を提供することを目的とする。
【課題を解決するための手段】
【０００４】
本発明の一態様に係る録画制御装置は、複数の録画機器間の優先順位を表す優先順位テーブルと、前記優先順位テーブルに基づいて、第１の録画機器を選択する第１の選択部と、前記選択される第１の録画機器に番組を録画させる録画制御部と、前記録画される番組に対して、前記選択される第１の録画機器の残容量が不足しているか否かを判断する第１の判断部と、前記検出される残量が不足していると判断されたときに、接続されている録画機器を検出する検出部と、前記検出される録画機器および前記優先順位テーブルに基づいて、選択する録画機器の有無を判断する第２の判断部と、前記選択する録画機器が有ると判断されるときに、前記優先順位テーブルに基づいて、第２の録画機器を選択する第２の選択部と、前記第１の録画機器に替えて、前記第２の録画機器に番組を録画させる第２の録画制御部と、を具備することを特徴とする。
【０００５】
本発明の一態様に係る録画制御方法は、複数の録画機器間の優先順位を表す優先順位テーブルに基づいて、第１の録画機器を選択するステップと、前記選択される第１の録画機器に番組を録画させるステップと、前記録画される番組に対して、前記選択される第１の録画機器の残容量が不足しているか否かを判断するステップと、前記検出される残量が不足していると判断されたときに、接続されている録画機器を検出するステップと、前記検出される録画機器および前記優先順位テーブルに基づいて、選択する録画機器の有無を判断するステップと、前記選択する録画機器が有ると判断されるときに、前記優先順位テーブルに基づいて、第２の録画機器を選択するステップと、前記第１の録画機器に替えて、前記第２の録画機器に番組を録画させるステップと、を具備することを特徴とする。
【発明の効果】
【０００６】
本発明によれば、録画時における録画機器の切換の確実性を向上した録画制御装置および録画制御方法を提供できる。
【発明を実施するための最良の形態】
【０００７】
以下、図面を参照して、本発明の実施の形態を詳細に説明する。
図１は、本発明の一実施形態に係る録画再生システム１００  を示すブロック図である。
録画再生システム１００は、録画機器選択装置１１０、録画機器１２０、画像表示装置１３０、音声出力装置１４０を備える。
【０００８】
録画機器選択装置１１０は、番組の録画に用いる録画機器１２０を選択する装置であり、番組受信部１１１、信号変換部１１２、録画再生制御部１１３、ＨＤＭＩ−ＣＥＣインタフェース１１４、ＬＡＮインタフェース１１５、再生出力部１１６、記憶部１１７、入力部１１８を有する。
【０００９】
番組受信部１１１は、番組供給元から録画対象となる番組、番組情報、番組ガイドを受信する。
番組供給元は、番組を供給する供給元（例えば、ＴＶ局、番組配信サイト）である。放送局からの供給には、放送波の形態は問わないものとする。また、番組配信サイトからの供給は、有線、無線の何れであっても差し支えない。
「番組」は、映像および音声の情報を含み、例えば、放送信号として番組受信部１１１に受信される。「番組情報」は、番組のタイトル、概要、出演者等の番組の内容を表す情報である。「番組ガイド」は、番組を提供するスケジュール（タイトル、チャンネル、時間等）を表す情報であり、例えば、ＥＰＧ（Electronic Program Guide)を挙げることができる。
【００１０】
信号変換部１１２は、番組供給元から提供される信号を録画・再生に用いる信号に変換する。信号変換部１１２は、例えば、放送信号をＭＰＥＧ（Moving Picture Experts Group）２等の圧縮符号化信号に変換する。
【００１１】
録画再生制御部１１３は、ＨＤＭＩ−ＣＥＣインタフェース１１４、ＬＡＮインタフェース１１５を介して録画機器１２０での録画および再生を制御する。録画再生制御部１１３は、次のような機能を営む。
【００１２】
・録画機器１２０の認識
録画再生制御部１１３は、接続されている録画機器１２０を認識（検出）する検出部として機能する。即ち、ＨＤＭＩ−ＣＥＣインタフェース１１４、ＬＡＮインタフェース１１５を介して、録画再生制御部１１３により制御可能な録画機器１２０（１）〜１２０（４）を認識する。なお、ＬＡＮインタフェース１１５に接続されるネットワーク（例えば、内部ＬＡＮや外部ＬＡＮ）は予めユーザによって登録される。
【００１３】
・録画機器１２０の選択
録画再生制御部１１３は、録画を実行する録画機器１２０を選択する。この選択には、後述の優先順位テーブルが用いられる。
【００１４】
・録画機器１２０での録画制御
録画再生制御部１１３は、録画機器１２０に番組を録画させる録画制御部として機能する。例えば、録画再生制御部１１３から録画機器１２０に、命令コマンドを転送することで、録画機器１２０での番組の録画が開始される。
【００１５】
・録画状態テーブルの作成
録画再生制御部１１３は、録画の際に、録画状態テーブルを作成する。録画状態テーブルは、使用する録画機器１２０、録画の順番（その録画機器１２０が録画に使用した録画機器１２０の何番目に当たるのか）、録画時間を対応して表す。なお、この詳細は後述する。
【００１６】
・録画機器１２０での再生制御
録画再生制御部１１３は、複数の録画機器での再生を制御する再生制御部として機能する。録画状態テーブルでの録画の順番（例えば、リスト順）に従って、録画機器１２０が切り換えられて再生される。
なお、再生中の録画機器１２０を切り換える際に、切り換え後の録画機器１２０の再生開始を早めにして、再生される映像、音声が途切れないようにする。
【００１７】
再生出力部１１６は、録画機器１２０で再生される番組の映像信号および音声信号を画像表示装置１３０および音声出力装置１４０に出力する。
【００１８】
記憶部１１７は、録画再生制御部１１３で利用される情報（録画予約テーブル（優先順位テーブル）、録画状態テーブル）を記憶する。
【００１９】
図２は、録画予約テーブルの一例を表す模式図である。
録画予約テーブルには、「録画番組」の欄、「機器の優先順位」の欄が含まれる。「録画番組」の欄には、タイトル、チャンネル、時間（開始時刻、終了時刻）の情報が含まれる。「機器の優先順位」の欄には、録画番組毎に録画機器１２０の優先順位が表される。この欄には、「録画機器」を互いに識別する情報（例えば、機器の名称）、および録画機器１２０毎の優先順位が表される。即ち、本実施形態では番組毎に優先順位が指定される。これに替えて、番組を問わず優先順位が一律に指定されても差し支えない。
この録画予約テーブルは、録画時の録画機器１２０の優先順位を指定する情報を含み、優先順位テーブルとして機能する。
【００２０】
図３は、録画状態テーブルの一例を表す模式図である。
録画状態テーブルには、「録画番組」の欄、「機器の録画割当」の欄が含まれる。「録画番組」の欄には、タイトル、チャンネル、時間（開始時刻、終了時刻）の情報が含まれる。「機器の録画割当」の欄には、録画番組毎に録画機器１２０の割当が表される。この欄には、「録画機器」を互いに識別する情報（例えば、機器の名称）、および録画機器１２０毎の録画順序、および録画時間（録画開始時刻、録画終了時刻）が表される。即ち、録画状態テーブルには、録画を行う際、どの録画機器１２０を何番目に使用し、どの位の時間を録画にあてたのかといった情報が含まれる。
【００２１】
入力部１１８は、情報を入力するための装置、例えば、キーボードである。この入力部１１８には、リモートコントロール装置での情報を入力可能とする情報受信装置（例えば、赤外線受信装置）を含めることができる。
【００２２】
録画機器１２０は、映像・音声を記録・再生する記録・再生装置である。この録画機器１２０には、ＤＶＤ（Digital Versatile Disk）録画機器、ＨＤ（Hard Disk Drive）録画機器，ＨＤ内蔵ＤＶＤ録画機器が挙げられる。また、サーバ等のコンピュータそれ自体、あるいはサーバ等に接続される記憶装置（例えば、ＨＤ（Hard Disk Drive）装置）を広義の録画機器１２０として差し支えない。即ち、録画機器選択装置１１０からの制御によって、映像・音声信号が記録、再生可能な機器であれば、録画機器１２０に含められる。
なお，録画機器１２０は、図示しない記録媒体（例えば、ＨＤ、ＤＶＤ）、録画再生機構、電源部等を有し、録画再生制御部１１３によって制御される。
【００２３】
画像表示装置１３０は、画像を表示する装置、例えば、ＣＲＴ、ＬＣＤ（Liquid Crystal Display)である。
音声出力装置１４０は、音声を出力する装置、例えば、スピーカ、ヘッドホンである。
【００２４】
（録画再生システム１００の動作）
録画再生システム１００の動作について説明する。以下、録画、再生に区分して録画再生システム１００の動作を説明する。
【００２５】
Ａ．録画
図４は、録画再生システム１００による録画の手順を表すフロー図である。図５は、図４の手順中で録画が中断された場合の予約録画の手順を表すフロー図である。
【００２６】
（１）録画予約の設定（ステップＳ１１）
入力部１１８からの情報入力によって「録画番組」、および「録画機器１２０の優先順位」が指定されることで、録画が予約される。
【００２７】
・録画番組の指定
録画する番組を指定する情報（例えば、タイトル、チャンネル、放送時間）が入力される。なお、ＥＰＧ、Ｇコード等を用いて、番組を指定できる。
【００２８】
・録画機器１２０の優先順位の指定
録画機器選択装置１１０に接続された録画機器１２０同士の優先順位（録画に用いる録画機器１２０の順番）を入力部１１８から入力する。
このとき、接続された録画機器１２０のリストを画像表示装置１３０等に表示しても良い。優先順位の指定が容易となる。このリストには、例えば、録画機器１２０を識別する情報（例えば、装置の名称）、録画機器１２０それぞれの残容量（例えば、０．５Ｇバイト）が含まれる。
【００２９】
ここで、録画機器１２０の優先順位を間接的に指定することができる。例えば、残容量の少ない順、あるいは多い順に録画機器１２０を指定する旨を表す情報を入力する。この場合、録画再生制御部１１３によって、録画機器１２０を間接的に指定する情報が、録画機器１２０を直接的に指定する情報に変換される。
【００３０】
以上のように、録画予約が設定されることで、録画再生制御部１１３によって録画予約テーブルが作成され、記憶部１１７に記憶される。
【００３１】
（２）録画機器の選択および録画開始（ステップＳ１２、Ｓ１３）
録画予約テーブルに基づいて、録画再生制御部１１３が録画機器１２０を制御し、録画が実行される。即ち、番組の開始時間になると、録画再生制御部１１３によって録画予約テーブル中の最上位（１番目）の録画機器１２０が選択され、この録画機器１２０での録画が開始される。
【００３２】
（３）録画状態テーブルの作成開始（ステップＳ１４）
録画の開始とほぼ並行して、録画状態テーブルの作成が開始される。
既述のように、録画状態テーブルには、録画を行う際、どの録画機器１２０を何番目に使用し、どの位の時間を録画にあてたのかといった情報が含まれる。
【００３３】
録画の実行中、必要に応じて、録画状態テーブルが更新される。後述のように、録画に用いる録画機器１２０が切り替わる毎に、録画状態テーブルは更新され、録画が終了、または中断すると、録画状態テーブルの作成は終了する。
【００３４】
（４）残録画容量の検出およびその不足の有無の判断（ステップＳ２１、Ｓ２２）
録画機器１２０は、録画動作を行いながら、残録画容量を検出し、自分自身の残録画容量に余裕があるのかどうかを常時監視する。例えば、次の式（１）により残録画容量Ｔ０の不足の有無を判断できる。
なお、残録画容量Ｔ０は録画機器１２０の記憶部の録画領域中の未使用領域の容量に対応する。
【００３５】
Ｔ０−（ｔｅ０−ｔｓ０）  ＜０        …式（１）
Ｔ０：残録画容量（録画中の録画機器１２０の録画容量の残量（時間に換算））
ｔｓ０：録画開始時刻（録画中の録画機器１２０での録画の開始時刻）
ｔｅ０：録画終了予定時刻（録画中の番組の終了予定時刻）
【００３６】
式（１）が満たされるか否かによって、残録画容量の不足の有無を判断できる。
録画容量に余裕がある場合（残録画容量Ｔ０の不足が無い場合）には、録画動作をそのまま実行し、録画終了時刻に至ると録画が終了される（ステップＳ２３）。
一方、録画容量に余裕がない場合（残録画容量Ｔ０の不足が有る場合）には、録画機器１２０から録画再生制御部１１３に対して、残録画容量の不足（「録画容量に不足が生じている為、最後まで録画できない」旨）を通知する。
【００３７】
以上のように、本実施形態では、録画機器１２０側で残録画容量Ｔ０を検出し、その不足を判断している。
これに対して、録画機器選択装置１１０側で、残録画容量Ｔ０を検出することも可能である。例えば、録画再生制御部１１３が録画機器１２０に残録画容量Ｔ０を問い合わせて、その回答を受ける。または、録画機器１２０の録画開始時での残録画容量から現在の残録画容量を予測する。
また、録画機器選択装置１１０側で、残録画容量Ｔ０の不足の有無を判断することも可能である。
このように、残録画容量Ｔ０の検出および不足の判断の全部または一部を録画機器１２０側で実行することができる。
【００３８】
（５）録画機器１２０の切り換え可否の判断（ステップＳ２４〜Ｓ２６）
１）録画機器１２０の検出（ステップＳ２４）
録画機器１２０からの残録画容量の不足の通知を受けた録画機器選択装置１１０は、現在接続されている録画機器１２０を検出する。即ち、ＬＡＮまたはＨＤＭＩ−ＣＥＣに接続されている録画機器１２０が検出（確認）される。この確認には、接続されている録画機器１２０が、録画機器選択装置１１０によって、制御可能かどうかの確認が含まれる。
【００３９】
２）優先順位テーブルとの照合（ステップＳ２５）
検出される録画機器１２０と、優先順位テーブルとを照合し、下位（次順位（次順位がなければその下位））の録画機器１２０が存在するか否か（言い換えれば、録画機器１２０の切換の可否）を判断する（ステップＳ２６）。
この照合によって、優先順位テーブルの設定時と記録時での録画機器１２０の接続状態等の相違に対応し、録画機器１２０の切換の確実性を向上できる。例えば，ユーザ（あるいは，その子供）が無意識的に録画機器１２０の接続を解除する可能性がある。
【００４０】
（６）録画機器１２０の再選択および録画開始（ステップＳ２７）
下位の録画機器１２０が存在する場合、録画再生制御部１１３がこの録画機器１２０に対して録画実行の命令を出力することで、録画機器１２０が切り換えられる。
既述のように、この切り換えに対応して、録画状態テーブルが更新される。
【００４１】
（７）録画の中断（ステップＳ２８）
録画容量が不足にも関わらず、録画動作を行うべき録画機器１２０が存在しない場合には、録画が中断される。この場合、図５のように、必要に応じて、再録画が予約される。
【００４２】
（８）再録画予約（ステップＳ３１〜Ｓ３４）
１）次回配信の検索（ステップＳ３１）
録画再生制御部１１３が、録画が中断した番組の次回以降の配信（提供）予定を検索する。番組配信元の番組の配信予定が検索される。この検索には、ＥＰＧ等の番組情報、番組予定表を含むメールマガジン、番組配信元のサイトへの接続等を利用できる。
【００４３】
なお、録画が中断された番組の配信予定が検索されない場合、録画機器選択装置１１０から番組配信元に記録媒体等の購入要求を出すことが考えられる。例えば、テープやディスクといった記録媒体でコピーガードのかかったものを購入する。このとき、購入先、購入の要求を出す出さないを、記憶部１１７にテーブルとして記憶させておき、このテーブルに基づいて購入の要求を出すことができる。
【００４４】
２）番組配信予定表の作成（ステップＳ３２）
録画が中断された番組の配信予定がある場合、配信予定表を作成する。この配信予定表には、録画する番組を指定する情報（例えば、タイトル、チャンネル、放送時間）が含まれる。
【００４５】
３）再録画予約の促し（ステップＳ３３）
録画機器選択装置１１０は、ユーザに対して、録画中断および録画容量確保の要求を通知する。
これらの通知は、例えば、録画機器選択装置１１０の表示部（ＬＥＤやパネル表示）を用いたメッセージにより、実行可能である。例えば、録画機器選択装置１１０の電源の起動時に、この通知がなされる。なお、携帯電話やＰＣ（パーソナル・コンピュータ）等のユーザが用いる機器へのメールによって、これらを通知しても良い。
【００４６】
・録画中断の通知
録画機器選択装置１１０は、ユーザに対して「録画が中断された」ことを通知する。
【００４７】
・録画容量確保の要求の通知
録画中断の通知と並行して、録画機器選択装置１１０は、ユーザに対して録画容量確保を要求する旨を通知する。例えば、ユーザに対して、新たな録画機器１２０の登録および接続を促す。または、既存の録画機器１２０中の録画の消去を促す。
【００４８】
４）録画予約の設定（ステップＳ３４）
これらの通知に対応して、再録画予約の要否が入力される。
中断した番組の自動録画を行うか否かが、設定された項目に従い、録画機器選択装置１１０に入力される。
【００４９】
（９）再録画の実行（ステップＳ３５）
ユーザが録画容量を確保し、かつ、再録画予約「要」を選択した場合に、録画機器選択装置１１０は録画予約の状態になる。予約された録画時間になったら、録画機器選択装置１１０は、録画機器１２０に対して録画を実行させる。なお、この録画の実行は、図４の手順に従う。
【００５０】
Ｂ．再生
図６は、録画再生システム１００による再生の手順を表すフロー図である。
（１）録画状態テーブルの読出（ステップＳ４１）
録画再生制御部１１３が録画状態テーブルを読み出す。この録画状態テーブルに基づいて、録画された番組のリストが例えば画像表示装置１３０上に表示される。
【００５１】
（２）番組の選択（ステップＳ４２）
この番組リストの中から、入力部１１８により再生したい番組が選択される。既述のように、録画状態テーブルには、使用した録画機器１２０の順番、各録画機器１２０による録画時間の情報が含まれる。番組が選択されると、この番組の録画に使用された録画機器１２０の組み合わせが特定される。
【００５２】
（３）１番目の録画機器１２０による再生（ステップＳ４３、Ｓ４４）
録画状態テーブルに記載された、録画に使用した録画機器１２０の順番に従って、最初に録画に使用した録画機器１２０を選択し、この電源を立ち上げて再生を行う。
【００５３】
（４）録画機器１２０の残再生時間の有無判断（ステップＳ５１、Ｓ５２）
再生動作を行っている最中に、録画状態テーブルに基づいて残再生時間を検出する。具体的には、次の式（２）により残再生時間を検出できる。残再生時間が残っていれば再生が続行され、残再生時間が繰り返し検出される。
【００５４】
Ｔ１＝ｔｅ１−ｔｓ１                  …式（２）
Ｔ１：残再生時間（録画中の録画機器１２０での再生時間の残り（時間に換算））
ｔｓ１：録画開始時刻（録画中の録画機器１２０での録画の開始時刻）
ｔｅ１：録画終了予定時刻（録画中の録画機器１２０での録画の終了予定時刻）
【００５５】
（５）録画機器１２０の切換要否の判断（ステップＳ５３）
残再生時間がなくなった際、録画状態テーブルにより、次に再生を行うべき録画機器１２０が存在するか否か（言い換えれば、切換の要否）を確認する。
再生を行うべき録画機器１２０が存在しない場合には、録画機器１２０の再生動作を終了し、その電源をオフさせる（ステップＳ５７）。
【００５６】
（６）録画機器１２０の切換（ステップＳ５４〜Ｓ５６）
１）次の録画機器１２０への再生の指示（ステップＳ５４）
再生を行うべき録画機器１２０が存在する場合には、録画状態テーブルに基づき、次に再生を行うべき録画機器１２０の電源を立ち上げ、再生の開始を指示する（ステップＳ５４）。このとき、再生の切り換えの少し前の時点で、再生の開始を指示することが好ましい。指示時と実際の再生の開始時との間のタイムラグを考慮したものである。
【００５７】
２）再生入力の切り換え（ステップＳ５５）
録画機器選択装置１１０は次に再生を行うべき録画機器１２０への入力を切り換える。即ち、画像表示装置１３０、音声出力装置１４０で再生される映像・音声の情報の入力元である録画機器１２０が切り換えられる。この入力切り換えにより、再生映像を鑑賞するユーザが、映像の途切れ等の違和感を感じることが無くなる。
【００５８】
３）前の録画機器１２０の停止（ステップＳ５６）
その後、残再生時間のなくなった録画機器１２０（切り換え動作を行う前に再生動作を行っていた録画機器１２０）の電源をオフさせる。
【００５９】
以上のように、本実施形態では、録画機器選択装置１１０に接続された複数の録画機器１２０の空き容量を活用する。その結果、複数の録画機器１２０全体をあたかも１つの録画機器であるかのように利用（記録、再生）することが可能となる。
【００６０】
より具体的には、本実施形態は、以下のような利点を有する。
（１）優先順位テーブルを用いて、録画機器１２０の優先順位を設定できる。また、ユーザが優先順位テーブルを設定可能とすることでユーザの利便性が向上する。
【００６１】
（２）残容量が少なくなると、優先順位テーブルに基づいて録画機器１２０が選択され、録画が継続される。この際、優先順位テーブルと、接続されている録画機器１２０とを対比して、録画機器１２０の切換の確実性を向上する。
【００６２】
（３）録画する際、どの録画機器１２０を使用して、どの程度録画をしたのかといった情報が録画状態テーブルに記録される。
【００６３】
（４）再生の際、録画状態テーブルに基づいて、録画機器１２０が自動的に切り換えられる。このとき、動作のタイムラグを考慮した録画機器１２０の切り換えにより、映像の途切れ等の違和を感じずに、ユーザが再生映像を鑑賞できる。
【００６４】
（５）録画を継続することができなかった（録画が中断された）場合には、録画対象の番組の配信状況を検索して、配信時間リストを作成する。また、ユーザに録画機器１２０の空き容量の確保を依頼し、録画予約を促す。
【００６５】
（６）録画機器１２０としてＬＡＮ、およびＨＤＭＩ−ＣＥＣ経由の双方を利用できる。
【００６６】
（その他の実施形態）
本発明の実施形態は上記の実施形態に限られず拡張、変更可能であり、拡張、変更した実施形態も本発明の技術的範囲に含まれる。
【図面の簡単な説明】
【００６７】
【図１】本発明の一実施形態に係る録画再生システムを示すブロック図である。
【図２】録画再生システムによる録画の手順を表すフロー図である。
【図３】録画予約テーブルの一例を表す模式図である。
【図４】録画状態テーブルの一例を表す模式図である。
【図５】図４の手順中で録画が中断された場合の予約録画の手順を表すフロー図である。
【図６】録画再生システムによる再生の手順を表すフロー図である。
【符号の説明】
【００６８】
１００…録画再生システム、１１０…録画機器選択装置、１１１…番組受信部、１１２…信号変換部、１１３…録画再生制御部、１１４…ＬＡＮインタフェース、１１５…ＨＤＭＩインタフェース、１１６…再生出力部、１１７…記憶部、１１８…入力部、１２０…録画機器、１３０…画像表示装置、１４０…音声出力装置
【図１】
2008085675.tif 000003
【図２】
2008085675.tif 000004
【図３】
2008085675.tif 000005
【図４】
2008085675.tif 000006
【図５】
2008085675.tif 000007
【図６】
2008085675.tif 000008